(57)【要約】【課題】運営側による編集・修正作業を経ることなく、会員企業側のみによって会員企業サイト５に表示の情報及び画像を修正・更新することができるポータルサイトによる地域情報提供システムを提供する。【解決手段】メインサーバ２は、会員企業サイト５と当該サイトに情報及び画像を表示するためのサイト作成テンプレート・フォームを提供するサイト提供機能と、メールマガジン会員の個別情報を蓄積させるデータベース機能と、メールマガジン会員検索機能を有している一方、会員サーバ４は、サイト修正用テンプレート・フォームを提供する修正フォーム提供機能と、会員企業メールマガジン会員の個別情報を蓄積させるサイト・データベース機能と、サイト会員検索機能と、会員企業メールマガジン会員にメールマガジンを配信するための企業会員向けメールマガジン配信機能を有している。【選択図】図１
2007199802.tif 000002
【特許請求の範囲】
【請求項１】
運営側サイトと当該運営側サイトと連動するメインサーバと、複数で形成される会員企業サイトと当該会員企業サイトと連動する会員サーバから構成されると共に、上記運営側サイトと上記各会員企業サイト間にリンクが張られているポータルサイトであって、先ず、上記メインサーバにはポータルサイトの運営側における会員企業専用端末へのアクセスに対して会員認証を行う会員認証機能と、当該会員認証を受け会員企業へ個別の会員企業サイトと当該会員企業サイトに情報及び画像を表示するためのサイト作成テンプレート・フォーム並びに個々の会員企業が顧客に対してメールマガジンを配信するための企業用メールマガジン配信テンプレート・フォーム提供するサイト提供機能と、次に、ポータルサイトの運営サイトに携帯端末等からアクセスしてメールマガジンの会員登録を行ったメールマガジン会員の個別情報を蓄積させるデータベース機能と、当該蓄積データを検索するためのメールマガジン会員検索機能と、メールマガジン会員に定期的に会員向けメールマガジンを配信するメールマガジン配信機能と、続いて、上記会員向けメールマガジンに附帯して配信される会員企業の広告掲載用テンプレート・フォームを提供する広告掲載機能を有している一方、前記会員サーバは、会員企業専用端末へのアクセスに対して会員認証を行うサイト会員認証機能と、当該サイト会員認証を受け会員企業サイトに表示の情報及び画像を修正・更新するためのサイト修正用テンプレート・フォームを提供する修正フォーム提供機能と、会員企業サイトにアクセスしてメールマガジンの会員登録を行った会員企業メールマガジン会員の個別情報を蓄積させるサイト・データベース機能と、当該蓄積データを検索するためのサイト会員検索機能と、会員企業メールマガジン会員にメールマガジンを配信するための企業会員向けメールマガジン配信機能を有していることを特徴とする、ポータルサイトによる地域情報提供システム。
【発明の詳細な説明】
【技術分野】
【０００１】
本発明は、ポータルサイトに表示される広告などの提供情報の表示内容をポータルサイトの運営側によらず、会員企業側によって作成、更新することを可能にしたポータルサイトによる地域情報提供システムに関する。
【背景技術】
【０００２】
近年、インターネットの普及によって、多種多様な情報が手軽に取得される環境が整っている。ここで、インターネット上のホームページには、全国を対象とするホームページ検索、全国を対象とした各種情報の提供や商品の販売を行うポータルサイト、地域の情報に密着したホームページ検索、イベント・観光情報の提供、情報交換の媒体となる地域ポータルサイトが各地域ごとに存在している。そこで、インターネットを通じて特定情報を取得しようとする場合には、ポータルサイト（端末がインターネットにアクセスする際に最初にアクセスするＷｅｂサイトをいう。）などにアクセスし検索欄を利用して情報の絞込みを行い、特定情報を入手するようにしている。
ところで、特に近年携帯電話の保有率の上昇や機能向上によって、当該携帯電話などの携帯端末を用いて気軽にポータルサイトにアクセスして特定情報を取得することが普通に行われるようになった。この際の利用可能性としては、例えば、旅先において携帯電話から地域の観光情報を簡単に入手して有意義な旅行を実現することができることを意味している。
ここで、上記地域ポータルサイトは、各地域に存在するポータルサイト運営側がホームページの作成及び運営を行っており、そのポータルサイトの表示レイアウトについてもポータルサイト運営側が単一的に提供するものであると共に、広告などの提供情報の表示内容についてもポータルサイト運営側が広告主との打合わせに基づき作成し掲載するものであった。このような結果、ポータルサイトにおいては、表示レイアウトが単一であるため、例えば、掲載するデータ項目が広告主ごとに異なる場合であっても、レイアウト内の全データ項目をすべて表示しなければならなかった。更に、表示内容についてもポータルサイト運営側に依存しなければならず、広告主がキャンペーンなどを急遽実施したい場合であっても、ポータルサイト運営側との連絡調整が取れない場合には差替え表示ができないなどの欠点があった。
【０００３】
このような事情を受け、検索結果の表示レイアウトについて、ポータルサイト運営側だけではなく広告主側による選択が可能であると共に広告主側において表示情報の内容を直接的に変更可能な提供システムが求められている。最近、当該課題に関連して、データベース連動型ホームページを提供する検索サイトにおいて、検索用ページの表示レイアウトを、ユーザ（企業）側から自由にデザインできることを可能にし、またユーザごとに表示項目を選ぶことを可能にする、検索サイトサーバ、及び検索用ページ提供方法を提供するものとして、特開２００５−２５２８７号が開示されている。ここで、当該発明の請求項１に係る要旨は、利用者の端末からのアクセスを、仲介サイトを経由して受付、データベース連動型のホームページを提供する検索サイトのサーバであって、商品関連情報を記憶するデータベースと、前記仲介サイトごとに、前記商品関連情報の検索ページのレイアウトを規定するテンプレートを前記データベースに登録するためのテンプレート登録手段と、利用者の端末からアクセスを受け、経由してきた仲介サイトを認識してこの仲介サイトに対応するテンプレートを前記データベースから抽出し、抽出した前記テンプレートに従って仲介サイトごとにレイアウトを変えた検索ページを、前記利用者の端末に提供するための検索用ページ提供手段とが備えられたものであった。
【特許文献１】特開２００５−２５２８７号
【発明の開示】
【発明が解決しようとする課題】
【０００４】
上記背景技術の項に記載の特開２００５−２５２８７号に係る発明によれば、仲介サイトごとに、検索用ページのレイアウトを規定するテンプレートを登録することができることから、その登録されたテンプレートを基に、端末からアクセスが経由する仲介サイトごとにレイアウトを変えた検索用ページを利用者の端末に提供することができる。これによって、検索用ページの表示レイアウトのデザインに自由度を持たせることができ、仲介サイトごとのイメージやカラーを前面に出すことができる。また、仲介サイトごとに、表示項目を絞り込むことができるため、無駄が省かれ、利用者がアクセスする際の負担が軽減できるという効果がある旨の記載がある。しかして、特開２００５−２５２８７号に係る発明における特徴的な手段は、登録されたテンプレートを選択することができるようにすることによって、表示レイアウトのデザインに自由度を持たせることであった。
【０００５】
しかしながら、上記特開２００５−２５２８７号に係る発明によっても、広告主側において表示情報の内容を直接的に変更する手段は取られていないことから、広告主がキャンペーンなどを急遽実施したい場合であっても、表示情報の差し替えについては、運営側に依存されているものであることから時間を要すという課題があった。そこで、本発明者は上記技術背景の欄等に記載の課題を解決するため、種々の検討の上本発明に到達したものであり、本発明の目的はポータルサイトの運営側による編集・修正作業を経ることなく、会員企業側のみによって会員企業サイトに表示の情報及び画像を修正・更新することができるポータルサイトによる地域情報提供システムを提供することにある。
【課題を解決するための手段】
【０００６】
しかして、本発明に係るポータルサイトによる地域情報提供システムは、上記目的を達成するため以下の構成より成るものである。
【０００７】
即ち、上記目的を達成するため、本発明に係るポータルサイトによる地域情報提供システムは、運営側サイトと当該運営側サイトと連動するメインサーバと、複数で形成される会員企業サイトと当該会員企業サイトと連動する会員サーバから構成されると共に、上記運営側サイトと上記各会員企業サイト間にリンクが張られているポータルサイトであって、先ず、上記メインサーバにはポータルサイトの運営側における会員企業専用端末へのアクセスに対して会員認証を行う会員認証機能と、当該会員認証を受け会員企業へ個別の会員企業サイトと当該会員企業サイトに情報及び画像を表示するためのサイト作成テンプレート・フォーム並びに個々の会員企業が顧客に対してメールマガジンを配信するための企業用メールマガジン配信テンプレート・フォームを提供するサイト提供機能と、次に、ポータルサイトの運営サイトに携帯端末等からアクセスしてメールマガジンの会員登録を行ったメールマガジン会員の個別情報を蓄積させるデータベース機能と、当該蓄積データを検索するためのメールマガジン会員検索機能と、メールマガジン会員に定期的に会員向けメールマガジンを配信するメールマガジン配信機能と、続いて、上記会員向けメールマガジンに附帯して配信される会員企業の広告掲載用テンプレート・フォームを提供する広告掲載機能を有している一方、前記会員サーバは、会員企業専用端末へのアクセスに対して会員認証を行うサイト会員認証機能と、当該サイト会員認証を受け会員企業サイトに表示の情報及び画像を修正・更新するためのサイト修正用テンプレート・フォームを提供する修正フォーム提供機能と、会員企業サイトにアクセスしてメールマガジンの会員登録を行った会員企業メールマガジン会員の個別情報を蓄積させるサイト・データベース機能と、当該蓄積データを検索するためのサイト会員検索機能と、会員企業メールマガジン会員にメールマガジンを配信するための企業会員向けメールマガジン配信機能を有していることを要旨とする。
【発明の効果】
【０００８】
本発明に係るポータルサイトによる地域情報提供システムは、運営側サイトと当該サイトと連動するメインサーバと、複数で形成される会員企業サイトと当該会員企業サイトと連動する会員サーバから構成し、会員認証を受けたサイト会員による会員サーバへのアクセスに対して、会員企業サイトに表示の情報及び画像を修正・更新するためのサイト修正用テンプレート・フォームを提供するようにしたので、ポータルサイトの運営側による編集・修正作業を経ることなく、会員企業側のみによって会員企業サイトに表示の情報及び画像を修正・更新することができるので、会員企業サイトの情報をタイムリーに修正・更新することができるという効果がある。
【０００９】
また、本発明に係るポータルサイトによる地域情報提供システムは、運営側サイトと当該サイトと連動するメインサーバと、複数で形成される会員企業サイトと当該会員企業サイトと連動する会員サーバから構成されていることから、上記メインサーバにメールマガジン会員の個別情報を蓄積させるデータベース機能と、当該蓄積データを検索するためのメールマガジン会員検索機能を持たせる一方、会員サーバにも会員企業メールマガジン会員の個別情報を蓄積させるサイト・データベース機能と、当該蓄積データを検索するためのサイト会員検索機能を持たせることができる。これによって、会員企業側からはより会員ニーズに適したメールマガジンの配信がなされると共に、ポータルサイト運営側においては、メールマガジン会員検索機能を活用して各会員企業の顧客条件に即したメールマガジン会員に対して会員企業の広告情報を掲載したメールマガジンを配信することができるという効果もある。
【発明を実施するための最良の形態】
【００１０】
本発明に係るポータルサイトによる地域情報提供システムは、運営側サイトと当該サイトと連動するメインサーバと、複数で形成される会員企業サイトと当該会員企業サイトと連動する会員サーバから構成されているので、ポータルサイトの運営側による編集・修正作業を経ることなく、会員企業側のみによって会員企業サイトに表示の情報及び画像を修正・更新することを実現した。
【実施例１】
【００１１】
以下、本発明の一実施例について説明するものとする。先ず、図１は本発明に係るポータルサイトによる地域情報提供システムの概要を示した概要図である。図示のように、本発明に係るポータルサイト１は、メインサーバ２が連動されているポータルサイト１の運営側サイト３と、個々の会員サーバ４が連動されている会員企業サイト５によって構成されているものである。
【００１２】
次に、上記構成において会員企業サイト５における情報及び画像を表示するための作成手段について説明する。当初の契約関係の後、会員企業はポータルサイト１の会員企業専用端末６からポータルサイト運営側のメインサーバ２にアクセスする。この際、メインサーバ２からは個々の会員企業に対してＩＤ及びパスワードが発給されて会員認証が行われる。続いて、個々の会員企業側において上記ＩＤ及びパスワードが入力されることで、会員企業は個々の会員サーバ４に対するアクセスが許されるようになる。また、会員企業は会員サーバ４にアクセスすることによって、個々の会員企業サイト５に情報及び画像を表示するためのサイト作成テンプレート・フォームの提供を受けることができる。ここで、上記サイト作成テンプレート・フォームはブログ書込み型のテンプレート・フォームである。続いて、会員企業側においては、サイト作成テンプレート・フォームに従い、例えば、会員企業の店舗の写真データの貼り付け、会員企業からのインフォメーションの書込み、店舗からの特選商品情報、店舗からのクーポン情報の書込み、店舗案内図の貼り付けなどの諸作業を行うこととなる。以上のような入力手段によって、個々の会員企業サイト５のページ表示がなされる。更に続いて、会員企業サイト５における情報及び画像を修正・更新するための手段について説明する。ここでは、会員企業は会員企業専用端末６からポータルサイト運営側のメインサーバ２にアクセスし、既に発給のあったＩＤ及びパスワードを入力して会員サーバ４にアクセスするとブログ書込み型のサイト修正用テンプレート・フォームを選択することができる。そこで、会員企業側においては、上記サイト修正用テンプレート・フォームに従い表示内容の修正・更新のための諸作業を行う。具体的には、インフォメーション情報の変更、店舗からの特選商品情報の変更及び必要により特選商品の画像の貼り換え、店舗からのクーポン情報の変更等となる。以上のような手段を具備することによりポータルサイトの運営側による編集・修正作業を経ることなく、会員企業側のみによって会員企業サイトに表示の情報及び画像を修正・更新することができるようになる。一方、個々の会員企業サイト５はポータルサイトの運営側サイト３とリンクが張られており、携帯電話を含めた利用者端末７からは運営側サイト３を経由して会員企業サイト５にアクセスすることも、ダイレクトに会員企業サイト５にアクセスすることもできる。
【００１３】
続いてまた、上記構成において会員企業サイト５における、会員企業メールマガジン会員向けのメールマガジン配信手段について説明するものとする。先ず、会員企業は会員企業専用端末６からポータルサイト運営側のメインサーバ２にアクセスし、既に発給のあったＩＤ及びパスワードを入力して会員サーバ４にアクセスする。これによって、会員企業メールマガジン会員向けの企業用メールマガジン配信用のテンプレート・フォームを選択することができる。そこで、会員企業側においては、上記企業用メールマガジン配信用のテンプレート・フォームに従って必要情報を書込み後、会員サーバ４のサイト会員検索機能を用いて配信対象顧客を選択の上、会員サーバ４によって会員企業メールマガジン会員向けのメールマガジンを配信することができる。ここで、会員サーバ４のサイト・データベース機能は、個々の会員企業サイト５にアクセスしメールマガジン配信希望の会員登録を行った際の登録情報であり、名前、メールアドレス、性別、年齢、及び個々の会員企業が独自に設定する、好きな食べ物、好きな色等のアンケート情報をデータベースとして蓄積することを意味している。更に、上記サイト会員検索機能は、上記説明のサイト・データベースに対して、性別、年齢、アンケート情報に基き、会員企業メールマガジンの配信内容にマッチしたサイト会員の検索絞込みを行うことを意味している。
【００１４】
更にまた、上記構成においてメールマガジン会員検索機能に附帯して配信される会員企業の広告掲載用テンプレート・フォームを提供する広告掲載機能について説明する。ポータルサイト１の運営側においてメールマガジンの会員登録を行ったメールマガジン会員に対して定期的に行うメールマガジン配信の際に、会員企業側では会員企業専用端末６からポータルサイト１のメインサーバ２にアクセスし個々の会員企業のＩＤ及びパスワードを入力すると、会員企業の広告掲載用テンプレート・フォームを選択することができる。また、会員企業は上記広告掲載用テンプレート・フォームに従って、自店舗の広告等を書込みするようにすると、当該広告等が附帯したメールマガジンが、運営側サイト３に携帯端末等の利用者端末７からアクセスしてメールマガジンの会員登録を行ったメールマガジン会員に配信されるようになる。ここで、メインサーバ２のデータベース機能は、運営側サイト３に携帯端末等の利用者端末７からにアクセスしメールマガジン配信希望の会員登録を行った際の登録情報であり、名前、メールアドレス、性別、年齢、居住地区、及び運営側サイト３が独自に設定するアンケート情報をデータベースとして蓄積することを意味している。更に、メインサーバ２のメールマガジン会員検索機能は、上記説明のデータベースに対して、性別、年齢、居住地区、及びアンケート情報に基き、ポータルサイト１の運営側においてメールマガジンの会員登録を行ったメールマガジン会員に対して定期的に配信されるメールマガジンの配信内容にマッチしたメールマガジン会員の検索絞込みを行うことを意味している。このように、会員企業側では個々の会員サーバ４に蓄積されるメールマガジンの会員のみならず、ポータルサイト１の運営側におけるメールマガジンの会員登録を行ったメールマガジン会員をも対象として、情報提供の広がりを図ることができるというメリットがある。
【産業上の利用可能性】
【００１５】
本発明に係るポータルサイトによる地域情報提供システムは、会員認証を受けたサイト会員による会員サーバへのアクセスに対して、会員企業サイトに表示の情報及び画像を修正・更新するためのテンプレート・修正フォームを提供するようにしたので、ポータルサイトの運営側による編集・修正作業を経ることなく、会員企業側のみによって会員企業サイトに表示の情報及び画像を修正・更新することができるものであり、会員企業がキャンペーンなどを急遽実施したい場合であっても、会員企業サイトの表示情報をタイムリーに差し替えできるものであり、その利用範囲は広い。
【図面の簡単な説明】
【００１６】
【図１】本発明に係るポータルサイトによる地域情報提供システムの概要を示した概要図。
【符号の説明】
【００１７】
１    ポータルサイト
２    メインサーバ
３    運営側サイト
４    会員サーバ
５    会員企業サイト
６    会員企業専用端末
７    利用者端末
【図１】
2007199802.tif 000003